(57)【要約】【課題】本発明の目的は、在宅検査の普及を図ることのできる検査キットを提供することにある。【解決手段】食品及び薬よりなる群より選択された一以上の商品１２の販売の際に用いられる検査キット１０であって、前記商品１２と共にユーザ１６の手元に提供され、該商品１２の所定期間分以上の摂取後のユーザ１６より採取された試料１８が入れられた後に、該試料１８の検査を行うための検査機関２０に送られることを特徴とする検査キット１０。【選択図】      図１
2006234714.tif 000002
【特許請求の範囲】
【請求項１】
食品及び薬よりなる群より選択された一以上の商品の販売の際に用いられる検査キットであって、
前記商品と共にユーザの手元に提供され、該商品の所定期間分以上の摂取後のユーザより採取された試料が入れられた後に、該試料の検査を行うための検査機関に送られることを特徴とする検査キット。
【請求項２】
請求項１記載の検査キットにおいて、
前記ユーザに効果が現れるであろう所定期間分以上の商品と共に、該商品に対応する検査を行なうのに必要な試料のためのキット内容で提供され、該所定期間分以上の商品の摂取後のユーザより採取された試料が入れられた後に、前記検査機関に送られることを特徴とする検査キット。
【請求項３】
請求項１又は２記載の検査キットにおいて、
複数の検査キットの中から一の検査キットを識別するために、一つ一つの検査キット毎に識別コードが割り当てられることを特徴とする検査キット。
【請求項４】
請求項１〜３のいずれかに記載の検査キットにおいて、
前記商品と共に一のパックで前記ユーザの手元に提供されることを特徴とする検査キット。
【請求項５】
請求項１〜３のいずれかに記載の検査キットにおいて、
前記商品と別のパックで前記ユーザの手元に提供されることを特徴とする検査キット。
【請求項６】
請求項３〜５のいずれかに記載の検査キットにおいて、
前記識別コードは、前記検査機関が識別コードと共に提供する複数の検査結果の中から、前記ユーザが、該識別コードと一対一で対応する検査キットの検査結果を特定するためのものであることを特徴とする検査キット。
【請求項７】
請求項３〜５のいずれかに記載の検査キットにおいて、
前記識別コードは、前記検査機関が識別コードと共に有している検査結果の閲覧の際に前記ユーザより該検査機関に提供され、該検査機関が有している複数の検査結果のうちの、該識別コードと一対一で対応する検査キットの検査結果のみにアクセスする許可を該検査機関が該ユーザに与えるためのものであることを特徴とする検査キット。
【発明の詳細な説明】
【技術分野】
【０００１】
本発明は検査キット、特にその普及手法の改良に関する。
【背景技術】
【０００２】
従来より、日常の健康管理のため、病院での健康診断等の検査が行なわれている。
しかしながら、忙しくて病院に行けない、受診できる病院が遠くて行けない等の理由から、実際には、十分な検査は行われていなかった。
【０００３】
そこで、自宅で簡単な検査が行なえる在宅検査が有効であり、在宅検査のため、検査キットの配送サービスが行なわれている（例えば特許文献１）。
【０００４】
この特許文献１に記載の技術は、ウェブページで登録をしたユーザからの要望で検査キットを送る。ユーザは検査キットで検体を採取し検査機関に送る。この検査機関は検査キットの検体の検査を行ない、その検査結果をユーザに提供するものである。
【特許文献１】特開２００２−２５９５７１
【発明の開示】
【発明が解決しようとする課題】
【０００５】
しかしながら、前記検査キットにあっても、更なる普及には改善の余地が残されていたものの、従来はこれを解決することのできる適切な技術が存在しなかった。
【０００６】
本発明は前記従来技術の課題に鑑みなされたものであり、その目的は、在宅検査の普及を図ることのできる検査キットを提供することにある。
【課題を解決するための手段】
【０００７】
本発明者が、検査キットの普及について鋭意検討を重ねた結果、サプリメントと、該サプリメントの効果を検査するための検査キットとをパックでユーザに提供することにより、検査キットを単独で提供する場合に比較し、検査キットの普及が図られることを見出し、本発明を完成するに至った。
すなわち、従来においても生活習慣病等の在宅検査のため検査キットの配送サービス等があるが、その使用目的がユーザにとってはインパクトが弱いものであるため、検査キットの更なる普及には至らなかった。
これに対し、本発明においては、サプリメントの相性（効果）の検査という検査キットの使用目的をユーザに明確に提案し、ユーザに適切なサプリメントの摂取の提案を行なうことにより、ユーザの更なる健康志向が高まるので、検査キットの普及も図られるのである。
【０００８】
また本発明者は、検査キットの更なる普及のためには、個人情報の保護も非常に重要であり、ユーザと第三者間や第三者間同士での検査キットのやりとり、ないし検査結果のやりとりを、実質的に識別コードのみを用いて行なうことにより、検査キットの更なる普及が図られることも突き止めた。
【０００９】
すなわち、前記目的を達成するために本発明にかかる検査キットは、食品及び薬よりなる群より選択された一以上の商品の販売の際に用いられる検査キットであって、前記商品と共にユーザの手元に提供され、該商品の所定期間分以上の摂取後のユーザより採取された試料が入れられた後に、該試料の検査を行うための検査機関に送られることを特徴とする。
【００１０】
本発明の商品としては、例えば医薬品、医薬部外品、漢方薬等の薬、栄養食品、栄養補助食品（サプリメント）等の食品等が一例として挙げられる。
本発明のユーザとしては、例えば人間、ペット等の人間以外の動物等が一例として挙げられる。
本発明の試料としては、例えば唾液、髪、尿、血液、爪等の検体が一例として挙げられる。また本発明の試料としては、例えば血圧等の情報を含めていう。
【００１１】
本発明の検査キットとしては、例えばユーザより試料の採取、ユーザより採取された試料の保存、ないし該試料の輸送を行なうためのものが一例として挙げられる。
本発明の検査キットとしては、例えば高血圧等の生活習慣病検査用、癌検査用、免疫検査用、ミネラルバランス検査用等のものが一例として挙げられる。生活習慣病検査の具体的な項目としては、例えば高血圧等のほか、生化学検査、尿検査等が一例として挙げられる。
本発明のキット内容としては、例えば試料が血の場合は、採血器、採血用濾紙、遠心機等が一例として挙げられ、試料が尿の場合は尿採取器等が一例として挙げられ、試料が唾液の場合は唾液採取器等が一例として挙げられる。
【００１２】
なお、本発明にかかる検査キットにおいては、前記ユーザに効果が現れるであろう所定期間分以上の商品と共に、該商品に対応する検査を行なうのに必要な試料のためのキット内容で提供され、該所定期間分以上の商品の摂取後のユーザより採取された試料が入れられた後に、前記検査機関に送られることが好適である。
ここにいうキット内容とは、例えばユーザによる所定期間分以上の商品の摂取により、該ユーザに効果（変化）が現れるであろう項目の検査を行なうのに必要な試料のためのものをいう。
【００１３】
また本発明にかかる検査キットにおいては、複数の検査キットの中から一の検査キットを識別するために、一つ一つの検査キット毎に識別コードが割り当てられることが好適である。
本発明の識別コードの利用方法としては、例えばユーザと第三者間ないし第三者間同士での、検査キットのやりとりの際、ないし検査結果のやりとりの際等が一例として挙げられる。
【００１４】
本発明にかかる検査キットにおいては、前記商品と共に一のパックで前記ユーザの手元に提供されることが好適である。
また本発明にかかる検査キットにおいては、前記商品と別のパックで前記ユーザの手元に提供されることも好適である。
【００１５】
本発明にかかる検査キットにおいては、前記識別コードが、前記検査機関が識別コードと共に提供する複数の検査結果の中から、前記ユーザが、該識別コードと一対一で対応する検査キットの検査結果を特定するためのものであることが好適である。
また本発明にかかる検査キットにおいては、前記識別コードが、前記検査機関が識別コードと共に有している検査結果の閲覧の際に前記ユーザより該検査機関に提供され、該検査機関が有している複数の検査結果のうちの、該識別コードと一対一で対応する検査キットの検査結果のみにアクセスする許可を該検査機関が該ユーザに与えるためのものであることも好適である。
【００１６】
以下に、本発明の商品と検査キットとの組み合わせの一例を示す。なお、本発明は、以下のものに限定されるものではない。
【００１７】
生活習慣病に関する商品に対応する、検査キット内容としては、例えば以下のものが一例として挙げられる。
商品      項目              試料      キット内容

羅布麻    高血圧（血圧）    血圧値    血圧計等

【００１８】

商品      項目                試料          キット内容

ウコン    肝機能（ＧＯＴ）    唾液          唾液採取器等    

ウコン    肝機能（ＧＯＴ）    毛髪          毛髪採取器等    

海馬      腎機能（蛋白）      尿            尿採取器等    

【００１９】

商品      項目                  試料          キット内容

ウコン    肝機能（ＧＯＴ）      指先静脈血    採血器、遠心機等    

ウコン    肝機能（ＧＰＴ）      指先静脈血    採血器、遠心機等    

ウコン    肝機能（γ−ＧＰＴ）  指先静脈血    採血器、遠心機等    

【００２０】

商品                  項目                  試料          キット内容

りんご酢エゾウコギ    高脂結晶              指先静脈血    採血器、遠心機等                            高血圧
（総コレステロール）    

りんご酢エゾウコギ    高脂結晶              指先静脈血    採血器、遠心機等                            脂肪肝
高血圧
（中性脂肪）

りんご酢エゾウコギ    高脂結晶              指先静脈血    採血器、遠心機等                          （ＨＤＬ−コレステロール）

りんご酢エゾウコギ    高脂結晶              指先静脈血    採血器、遠心機等      
（ＬＤＬ−コレステロール）

【００２１】

商品                  項目          試料          キット内容

大豆イソフラボン      内分泌疾患    指先静脈血    採血器、遠心機等    
更年期判断
（ＬＨ，ＦＳＨ，Ｅ２）

【００２２】
癌に関する商品に対応する、検査キット内容としては、例えば以下のものが一例として挙げられる。
商品          項目          試料          キット内容

メシマコブ    腫瘍マーカ    指先静脈血    採血器、遠心機等    

【００２３】
免疫検査に関する商品に対応する、検査キット内容としては、例えば以下のものが一例として挙げられる。
商品          項目                              試料          キット内容

エゾウコギ    免疫力（フローサイトメトリー）    指先静脈血    採血器、遠心機等

【発明の効果】
【００２４】
本発明にかかる検査キットによれば、サプリメントと共にユーザに提供され、また所定期間分以上の該サプリメント摂取後のユーザより採取された試料が入れられた後に検査機関に送られることとしたので、その普及の向上を図ることができる。
【００２５】
本発明においては、ユーザに効果の現れるであろう所定期間分以上の商品と共に、該商品に対応する検査を行なう際に必要な試料を得るためのキット内容で提供され、該所定期間分以上の商品の摂取後のユーザより採取された試料が入れられた後に検査機関に送られることにより、検査キットの更なる普及を図ることができる。
【００２６】
本発明においては、個々の検査キット毎に識別コードを設けることにより、個人情報の保護を図ることができるので、検査キットの更なる普及を図ることができる。
【発明を実施するための最良の形態】
【００２７】
本発明において、第一に特徴的なことは、サプリメント（商品）と共に検査キットを、該サプリメントのユーザに提供したことである。
以下、図面に基づいて本発明の好適な一実施形態について説明する。
図１には本発明の一実施形態にかかる検査キットの普及手法の概略構成が示されている。
なお、同図（Ａ）は本実施形態にかかる検査キットのやりとりの際の説明図、同図（Ｂ）は該検査キットより得られた検査結果のやりとりの際の説明図である。
【００２８】
同図に示す検査キット１０は、サプリメント（商品）１２の販売の際に用いられる検査キットであって、メーカ１４より、サプリメント１２と共にユーザ１６の手元に提供される。
前記検査キット１０は、所定期間分以上のサプリメント１２の摂取後のユーザ１６より採取された試料１８が入れられた後に、該試料１８の検査を行うための検査機関２０に送られる。
【００２９】
このように本実施形態においては、サプリメント１２と検査キット１０とをパックでユーザ１６に提供するので、検査キット１０の普及を図ることができる。
【００３０】
すなわち、従来においても、生活習慣病等の在宅検査のため検査キットの配送サービスがあるが、その使用目的がユーザにとってはインパクトが弱いものであるので、検査キットの普及には限界があった。
これに対し、本発明者は、サプリメントは、種類の選択性の幅が広く、入手も容易であるので、ユーザ数が多いが、その効果（相性）を手軽に評価する手段がない点に着目した。そして、本発明者は、サプリメントの相性（効果）の検査という検査キットの使用目的をユーザに明確に提案し、ユーザに適切なサプリメントの摂取の提案を行なうことにより、検査キットの普及も図られることを突き止めた。
【００３１】
＜検査実施時期の提案＞
ところで、検査キットの更なる普及の向上を図るためには、検査が適正に行なえるであろう検査実施時期をユーザに提案することも非常に重要である。
すなわち、サプリメントの効果を適性に評価するためには、検査実施時期、つまりユーザに効果の現れるであろうサプリメントの必要量をユーザに提案することが重要であり、サプリメントの効果の現れない時点で検査を行なっても、サプリメントの適正な評価が行えないので、検査キットの有効利用も図られないからである。
このために本発明においては予めユーザに効果の現れるであろう必要量のサプリメントと、検査キットとをパックで提供することが非常に重要である。
【００３２】
このために本実施形態においては、検査キットが、ユーザに効果が現れるであろう所定期間分以上のサプリメントと共に、該サプリメントに対応する検査を行なうのに必要な試料のためのキット内容で提供される。
キット内容としては、例えばサプリメントが生活習慣病に関するものであれば、生活習慣病に関する検査を行なうのに必要な血液の採血機、遠心機、保存ないし輸送器と、尿の採取機、保存ないし輸送器等が一例として挙げられる。
この検査キットは、ユーザに効果が現れるであろう所定期間分以上のサプリメント摂取後のユーザより採取された試料が入れられた後に、前記検査機関に送られる。
【００３３】
この結果、ユーザは検査に必要なサプリメントの摂取量を計算することなく、検査キットと共に提供されたサプリメントを摂取するだけで、プリメントの適正な評価を行なうことができるであろう量のサプリメントを自動的に摂取することとなる。
したがって、本実施形態においては、サプリメントの適切な摂取量（期間等）の提案のないサプリメントないし検査キットの提供手法のものに比較し、サプリメントの適正な評価を容易に行なうことができるので、検査キットの普及も図られる。
【００３４】
＜個人情報保護＞
また検査キットの更なる普及の向上を図るためには、個人情報の保護も重要である。
すなわち、ユーザの中には、検査の実施ないし結果等を他人に知られたくないとの要望もあり、検査の際に第三者に、前述のような個人情報が特定されてしまうのでは、検査キットの普及の妨げにもなる。
【００３５】
そこで、本発明において、第三に特徴的なことは、個人情報の保護による検査キットの普及を図るため、ユーザと第三者間、ないし第三者同士間のやりとりの際に、識別コードを用いたことである
【００３６】
このために本実施形態においては、検査キットが、複数の検査キットの中から一の検査キットを識別するために、一つ一つの検査キット毎に識別コード２２が割り当てられることが好適である。
【００３７】
この結果、本実施形態においては、個人情報を用いることなく、実質的に識別コード２２のみを用いてユーザ１６と、メーカ１４ないし検査機関２０等の第三者間でのやりとりを行なえるので、また第三者間同士でのやりとりも行なえるので、個人情報の保護に優れている。これにより、本実施形態においては、このような工夫のないものに比較し、検査キット１０の更なる普及の向上を図ることができる。
【００３８】
例えばユーザ１６と第三者間での検査キット１０のやりとりの際、ユーザ１６と第三者間での検査結果のやりとりの際に、識別コード２２を用いることが非常に重要である。
また第三者間同士での検査結果のやりとりの際にも、識別コード２２を用いることが非常に重要である。
【００３９】
以下に、このような検査キット１０について、より具体的に説明する。
＜検査キットのやりとり１＞
【００４０】
本実施形態での検査キットのやりとり１は、検査キットが、サプリメントと共に一のパックでユーザの手元に提供されたことである。
【００４１】
このために本実施形態においては、検査キット１０が、サプリメント１２と共に同じパック３０でメーカ１４よりユーザ１６の手元に送られる。例えばユーザ１６の手元には、生活習慣病の改善のためのサプリメント１２及び識別コード２２と共に、該生活習慣病検査用の検査キット１０が入れられた一の箱３０が提供される。
またこの検査キット１０は、所定期間分以上のサプリメント１２の摂取後のユーザ１４より採取された試料（血液等）１８が入れられた後に、識別コード２２と共に検査機関２０に送られる。
【００４２】
このように本実施形態においては、ユーザ１６と、メーカ１４ないし検査機関２０等の第三者との検査キット１０のやりとりの際に、実質的に識別コードのみ２２を用いている。
【００４３】
＜検査結果のやりとり１＞
本実施形態の検査結果のやりとり１は、前記識別コードが、前記検査機関が識別コードと共に有している検査結果の閲覧の際に前記ユーザより該検査機関に提供され、該検査機関が有している複数の検査結果のうちの、該識別コードと一対一で対応する検査キットの検査結果のみにアクセスする許可を該検査機関が該ユーザに与えるものとしたことである。
【００４４】
同図（Ｂ）に示されるように検査機関２０は、検査キットより得られた試料の検査を行ない、検査結果を識別コード２２と共にデータベースに格納している。
ここで、ユーザ１６が検査結果を見るには、例えばインターネット等で、検査機関２０のホームページにアクセスする。
【００４５】
例えば図２（Ａ）に示されるようなホームページの検査結果の閲覧画面４０では、検査機関よりユーザに対し、識別コードの入力が求められる。
ユーザが識別コード（例えばＡ１００１）を入力すると、検査機関はデータベースに有している複数の検査結果のうちの、該識別コードと一対一で対応する検査キットの検査結果のみにアクセスする許可を該ユーザに与える。例えば同図（Ｂ）においては、識別コードと一対一で対応する検査キットの検査結果画面がユーザに提供される。
【００４６】
このように本実施形態においては、ユーザと第三者との検査結果のやりとりの際に、実質的に識別コードのみを用いている。
【００４７】
したがって、本実施形態においては、検査キットのやりとり、検査結果のやりとりの際に、個人情報の保護に優れている。これにより、本実施形態においては、検査キットの更なる普及を図ることができる。
【００４８】
＜変形例＞
なお、本実施形態での検査キットのやりとりと、本実施形態での検査結果のやりとりとをそれぞれ単独で用いることも可能であるが、個人情報の保護の向上のため、本実施形態での検査キットのやりとりと、本実施形態での検査結果のやりとりとの組み合わせが、より好ましい。
ただし、本実施形態での検査キットのやりとりと、本実施形態での検査結果のやりとりとの組み合わせであれば、以下の組み合わせも、前記検査キットのやりとり１と前記検査結果のやりとり１との組み合わせと同様、非常に好ましい。
【００４９】
例えば前記検査キットのやりとり１に代えて以下の検査キットのやりとり２を採用し、前記検査結果のやりとり１と以下の検査キットのやりとり２とを組み合わせることも好適である。
また前記検査結果のやりとり１に代えて以下の検査結果のやりとり２を採用し、前記検査キットのやりとり１と以下の検査結果のやりとり２とを組み合わせることも好適である。
いずれも、検査キットのやりとり１と検査結果のやりとり１との組み合わせと同様、実質的に識別コードのみでやりとりが行なえるので、個人情報の保護に優れており、検査キットの普及が図られる。
【００５０】
＜検査キットのやりとり２＞
本実施形態での検査キットのやりとり２は、図３に示されるように検査キットが、サプリメント（商品）と別のパックでユーザの手元に提供されるものである。
なお、図１と対応する部分には符号１００を加えて示し説明を省略する。
【００５１】
このために本実施形態においては、サプリメント１１２がメーカ１１４よりユーザ１１６の手元に送られる。また検査キット１１０が、検査機関１２０よりユーザ１１４の手元に送られる。
また検査キット１１０が、所定期間分以上のサプリメント１１２の摂取後のユーザ１１６より採取された試料が入れられた後に、検査機関１２０に送られる。
以下に、検査キットのやりとり２について、より具体的に説明する。
【００５２】
第一に、同図においては、メーカ１１４よりユーザ１１６の手元に、サプリメント１１２の箱１３０が、サプリメント１１２の購入者であることを証明する識別コード（はがき等に記載）１２２と共に送られてくる。
ユーザ１１６は、はがき等に記載の識別コード１２２を検査機関１２０に送り、検査キット１１０の送付を依頼することができる。
【００５３】
第二に、メーカ１１４よりユーザ１１６の手元に、サプリメント１１２が前記識別コード１２２と共に送られてくる。
ユーザ１１６は、例えばインターネットのホームページ、メール、電話、ＦＡＸ等の通信手段で、検査機関１２０にアクセスし、識別コード１２２を検査機関１２０に提供することで、未使用の検査キットの送付依頼、ないし試料採取済みの検査キットを提出する。
【００５４】
このような検査キットのやりとり２は、前記検査キットのやりとり１と同様、ユーザ１１６と第三者間での検査キットのやりとりの際、実質的に識別コード１２２のみを用いているので、検査キット１１０のやりとりの際の、個人情報の保護に優れている。
【００５５】
＜検査結果のやりとり２＞
本実施形態での検査結果のやりとり２は、図４に示されるように識別コードが、検査機関が識別コードと共に提供する複数の検査結果の中から、ユーザが、識別コードと一対一で対応する検査キットの検査結果を特定するためのものとしたことである。
【００５６】
このために本実施形態においては、検査機関は、検査キットより得られた試料の検査を行ない、検査結果を識別コードと共にデータベースに格納している。
ここで、ユーザが検査結果を見るには、例えばインターネットで、検査機関のホームページにアクセスする。
【００５７】
すると、例えば図４に示されるようなホームページの検査結果画面が表示される。この画面では、識別コードと共に複数の検査結果が公開されている。
ここで、検査結果画面には複数のユーザの検査結果が表示されているが、検査結果には個人情報の記載がなく、実質的に識別コードのみが併記されているのみであるので、識別コードとユーザとの関係を知らない第三者がこの検査結果画面を見ても、ユーザを特定することはできない。したがって、検査結果のやりとり２においても、個人情報の保護に優れているので、検査キットの普及が図られる。
一方、ユーザは識別コードに基づいて、検査結果画面の中で、該ユーザの使用した検査キットの検査結果を特定することができる。
【００５８】
また前記各構成では、検査機関（ないしメーカ）とユーザ間の検査キットのやりとりは配送を用いた例について説明したが、これをユーザ等が検査機関ないしメーカより直接、未使用の検査キットの受け取り、ないし試料採取済みの検査キットの提出を行なうことも可能である。
また本実施形態においては、検査キットないしサプリメントの依頼ないし提供手段としては、配送、通信手段（インターネット、電話、ＦＡＸ等）を用いることができる。
【００５９】
また前記構成では、ユーザとして人間を用いた例について説明したが、そのほか、ペット等の人間以外の動物にも好適に用いることができる。
また前記構成では、商品として、サプリメント（栄養補助食品）を用いた例について説明したが、そのほか、医薬品、漢方薬、健康食品等にも好適に用いることができる。
また前記構成では、試料として血液を用いた例について説明したが、そのほか、髪、唾液等も好適に用いることができる。
【図面の簡単な説明】
【００６０】
【図１】本発明の一実施形態にかかる検査キットの提供手法の説明図である。
【図２】本発明の一実施形態にかかる検査キットより得られた検査結果の提供手法の説明図である。
【図３】本発明の一実施形態にかかる検査キットの提供手法の変形例である
【図４】本発明の一実施形態にかかる検査キットより得られた検査結果の提供手法の変形例である。
【符号の説明】
【００６１】
１０  検査キット
１２  サプリメント（商品）
１８  試料
２２  識別コード
【図１】
2006234714.tif 000003
【図２】
2006234714.tif 000004
【図３】
2006234714.tif 000005
【図４】
2006234714.tif 000006
【手続補正書】
【提出日】平成17年3月14日(2005.3.14)
【手続補正１】
【補正対象書類名】明細書
【補正対象項目名】００１８
【補正方法】変更
【補正の内容】
【００１８】

商品      項目                試料          キット内容

海馬      腎機能（蛋白）      尿            尿採取器等    

【手続補正２】
【補正対象書類名】明細書
【補正対象項目名】００２０
【補正方法】変更
【補正の内容】
【００２０】

商品                  項目                  試料          キット内容

りんご酢エゾウコギ    高脂血症              指先静脈血    採血器、遠心機等
高血圧
（総コレステロール）    

りんご酢エゾウコギ    高脂血症              指先静脈血    採血器、遠心機等
脂肪肝
高血圧
（中性脂肪）

りんご酢エゾウコギ    高脂血症              指先静脈血    採血器、遠心機等
（ＨＤＬ−コレステロール）

りんご酢エゾウコギ    高脂血症              指先静脈血    採血器、遠心機等      
（ＬＤＬ−コレステロール）